(57)【要約】【課題】使い勝手を向上させる。【解決手段】本発明のストラップ１０において、基部１８における折返し部１８Ｂ側には、編込み部２０の終端部２０Ｂ側から導出された導出部３８が形成されており、この導出部３８には、この導出部３８を構成する一対の紐部３８Ａ，３８Ｂを連結すると共に、導出部３８の長手方向に位置調節可能とされた第一連結部材４０と、この第一連結部材４０よりも折返し部１８Ｂ側に配置されて、一対の紐部３８Ａ，３８Ｂを連結すると共に、導出部３８の長手方向に位置調節可能とされた第二連結部材４２と、が取り付けられている。また、導出部３８は、ストラップ本体１２の表側に配置されるように、ストラップ本体１２の長手方向中央部側に折り返されており、一対の紐部３８Ａ，３８Ｂ、折返し部１８Ｂ、及び、第二連結部材４２によって構成された環状部４４の内側には、ストラップ本体１２が挿通されている。【選択図】図１
2011244798.tif 000002
【特許請求の範囲】
【請求項１】
１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の基端部側から折返し部側へ順に前記基部の長手方向と直交方向を結び方向とする本結びを複数形成することにより構成されると共に、前記各本結びを構成する一対の輪部で前記基部を両側から挟み込む編込み部と、を有するストラップ本体と、
前記基部の基端部及び前記編込み部の始端部と接続された第一係合部材と、
前記第一係合部材と係合可能に構成されると共に、前記編込み部の終端部と接続され、且つ、前記基部の折返し部に対し前記基部の長手方向に移動可能とされた第二係合部材と、
を備え、
前記基部における前記折返し部側には、前記編込み部の終端部側から導出された導出部が形成され、
前記導出部には、前記導出部を構成する一対の紐部を連結すると共に、前記導出部の長手方向に位置調節可能とされた第一連結部材と、
前記第一連結部材よりも前記折返し部側に配置されて、前記一対の紐部を連結すると共に、前記導出部の長手方向に位置調節可能とされた第二連結部材と、が取り付けられ、
前記導出部は、前記ストラップ本体の表側に配置されるように、前記ストラップ本体の長手方向中央部側に折り返され、
前記一対の紐部、前記折返し部、及び、前記第二連結部材によって構成された環状部の内側には、前記ストラップ本体が挿通されている、
ストラップ。
【発明の詳細な説明】
【技術分野】
【０００１】  本発明は、ストラップに関する。
【背景技術】
【０００２】  特許文献１には、１本の紐を編込んで形成されたストラップ本体と、このストラップ本体の長手方向一端部に接続された第一係合部材と、この第一係合部材と係合可能に構成されると共に、ストラップ本体の長手方向他端部に接続された第二係合部材と、を備えたストラップが開示されている。
【先行技術文献】
【特許文献】
【０００３】
【特許文献１】  ＵＳ００Ｄ４２１６６９Ｓ
【発明の概要】
【発明が解決しようとする課題】
【０００４】  しかしながら、特許文献１に記載のストラップでは、ストラップ本体の長さを調節することができない。【０００５】  本発明は、上記事実に鑑みてなされたものであって、その目的は、ストラップ本体の長さを調節することができるストラップを提供することにある。【０００６】  また、本発明の他の目的は、使い勝手を向上させることができるストラップを提供することにある。
【課題を解決するための手段】
【０００７】  前記目的を達成するために、本発明のストラップは、１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の基端部側から折返し部側へ順に前記基部の長手方向と直交方向を結び方向とする本結びを複数形成することにより構成されると共に、前記各本結びを構成する一対の輪部で前記基部を両側から挟み込む編込み部と、を有するストラップ本体と、前記基部の基端部及び前記編込み部の始端部と接続された第一係合部材と、前記第一係合部材と係合可能に構成されると共に、前記編込み部の終端部と接続され、且つ、前記基部の折返し部に対し前記基部の長手方向に移動可能とされた第二係合部材と、を備え、前記基部における前記折返し部側には、前記編込み部の終端部側から導出された導出部が形成され、前記導出部には、前記導出部を構成する一対の紐部を連結すると共に、前記導出部の長手方向に位置調節可能とされた第一連結部材と、前記第一連結部材よりも前記折返し部側に配置されて、前記一対の紐部を連結すると共に、前記導出部の長手方向に位置調節可能とされた第二連結部材と、が取り付けられ、前記導出部は、前記ストラップ本体の表側に配置されるように、前記ストラップ本体の長手方向中央部側に折り返され、前記一対の紐部、前記折返し部、及び、前記第二連結部材によって構成された環状部の内側には、前記ストラップ本体が挿通されている。
【発明の効果】
【０００８】  このストラップによれば、第二係合部材は、編込み部の終端部と接続されており、基部の折返し部に対しては基部の長手方向に移動可能とされている。従って、第二係合部材を基部に対して基部の長手方向に相対移動させることにより、編込み部の長さ、ひいては、ストラップ本体の長さ（第一係合部材と第二係合部材との間の距離）を調節することができる。【０００９】  しかも、このストラップによれば、ストラップ本体は、各本結び（英名：リーフノット）を構成する一対の輪部で基部を両側から挟み込む構成とされている。従って、上述の如くストラップ本体の長さを調節した後に、第一係合部材及び第二係合部材を係合させてストラップを環状とさせた場合には、ストラップを直線状とさせている場合に比して、各本結びを構成する一対の輪部と基部との間の摩擦力が増加される。これにより、ストラップ本体の長さを調節後の長さに維持することができる。【００１０】  また、基部における折返し部側には、編込み部の終端部側から導出された導出部が形成されており、この導出部は、ストラップ本体の表側に配置されるように、ストラップ本体の長手方向中央部側に折り返されている。そして、この導出部には、この導出部を構成する一対の紐部を連結する第一連結部材及び第二連結部材が取り付けられており、また、一対の紐部、折返し部、及び、第二連結部材によって構成された環状部の内側には、ストラップ本体が挿通されている。【００１１】  従って、この環状部を第二係合部材側にスライドさせれば、導出部がストラップ本体に対して表側に離間した状態（膨らんだ状態）となる。従って、この状態でストラップを例えば犬の首に装着すれば、この導出部を、犬を操作するためのハンドルとして使用することができる。【００１２】  また、このときに、第二連結部材を導出部における折返し部側に位置させれば、環状部が小さくなり、この環状部がストラップ本体に固定される。従って、導出部によって構成されたハンドルの形状を維持することができる。【００１３】  なお、このときに、第一連結部材を導出部における編込み部の終端部側に位置させれば、上述の導出部によって構成されたハンドルにおける使用者が握る領域から第一連結部材が外れた位置に位置されるので、使用者が導出部をハンドルとして使用するときの操作性を良好にすることができる。【００１４】  一方、環状部を第二係合部材と反対側にスライドさせれば、導出部がストラップ本体に密着された状態となる。従って、この場合には、導出部がストラップ本体から表側に突出することが抑制されるので、例えば、ストラップが犬の首に装着されているときに、導出部に物が引っ掛かったり、犬が気にしたりすることを抑制することができる。【００１５】  また、このときに、第二連結部材を導出部における折返し部側に位置させれば、環状部が小さくなり、この環状部がストラップ本体に固定される。従って、導出部をストラップ本体に密着させた状態に維持することができる。【００１６】  さらに、このときに、第一連結部材を導出部における長手方向中央部に位置させれば、一対の紐部が互いに離間することも抑制することができる。【００１７】  しかも、導出部は、第二係合部材が接続されてい���編込み部の終端部側から導出された後に、ストラップ本体の長手方向中央部側、すなわち、第二係合部材と反対側に折り返されている。従って、第一係合部材及び第二係合部材を係合させる際に、この導出部が邪魔になることを抑制することができる。【００１８】  このように、このストラップによれば、ストラップ本体の長さを調節することができるだけでなく、使い勝手も向上させることができる。
【図面の簡単な説明】
【００１９】
【図１】  本発明の一実施形態に係るストラップを環状とさせた状態を示す側面図である。
【図２Ａ】  図１に示されるストラップを直線状とさせた状態を示す正面図である
【図２Ｂ】  図１に示されるストラップ本体を図２Ａの状態よりも長くさせた状態を示す正面図である
【図３Ａ】  図２Ａに示されるストラップの背面図である。
【図３Ｂ】  図２Ｂに示されるストラップの背面図である。
【図４Ａ】  図１に示される導出部をストラップ本体に対して表側に膨らませた状態を示す正面図である。
【図４Ｂ】  図１に示される導出部をストラップ本体に密着させた状態を示す正面図である。
【図５Ａ】  図１に示されるストラップの製造方法を説明する図である。
【図５Ｂ】  図１に示されるストラップの製造方法を説明する図である。
【図５Ｃ】  図１に示されるストラップの製造方法を説明する図である。
【図５Ｄ】  図１に示されるストラップの製造方法を説明する図である。
【図５Ｅ】  図１に示されるストラップの製造方法を説明する図である。
【図５Ｆ】  図１に示されるストラップの製造方法を説明する図である。
【図５Ｇ】  図１に示されるストラップの製造方法を説明する図である。
【図５Ｈ】  図１に示されるストラップの製造方法を説明する図である。
【図５Ｉ】  図１に示されるストラップの製造方法を説明する図である。
【発明を実施するための形態】
【００２０】  以下、本発明の一実施形態について説明する。
【００２１】  図１に示される本発明の一実施形態に係るストラップ１０は、例えば、犬の首輪として好適に用いられるものであり、図１〜図４Ｂに示されるように、ストラップ本体１２と、第一係合部材１４と、第二係合部材１６とを備えている。
【００２２】  ストラップ本体１２は、１本の紐によって構成されており、基部１８と編込み部２０とを有している。この基部１８と編込み部２０の具体的な構成については、後述するこのストラップ１０の作り方と併せて説明する。
【００２３】  第一係合部材１４は、基部１８の基端部１８Ａ及び編込み部２０の始端部２０Ａと接続されている。
【００２４】  第二係合部材１６は、第一係合部材１４と係合可能な構成とされている。また、この第二係合部材１６は、編込み部２０の終端部２０Ｂと接続されると共に、基部１８の折返し部１８Ｂに対して基部１８の長手方向に移動可能とされている。
【００２５】  また、基部１８における折返し部１８Ｂ側には、編込み部２０の終端部２０Ｂ側から導出された導出部３８が形成されている。
【００２６】  この導出部３８には、この導出部３８を構成する一対の紐部３８Ａ，３８Ｂをそれぞれ連結する第一連結部材４０及び第二連結部材４２が取り付けられている。第二連結部材４２は、第一連結部材４０よりも折返し部１８Ｂ側に配置されている。
【００２７】  この第一連結部材４０及び第二連結部材４２は、それぞれ導出部３８の長手方向に位置調節可能とされており、且つ、導出部３８の長手方向における任意の位置で導出部３８に固定できるようになっている。
【００２８】  また、この導出部３８は、図１に示されるように、ストラップ本体１２の表側に配置されるように、ストラップ本体１２の長手方向中央部側（矢印Ａ側）に折り返されている。そして、この導出部３８の先端部には、この導出部３８を構成する一対の紐部３８Ａ，３８Ｂ、折返し部１８Ｂ、及び、第二連結部材４２によって環状部４４が構成されており、この環状部４０の内側には、ストラップ本体１２が挿通されている。
【００２９】  なお、図２Ａ〜図３Ｂにおいては、理解の容易のために、環状部４０の内側にストラップ本体１２が挿通される前の状態が示されている。
【００３０】  次に、上記構成のストラップ１０の製造方法について説明する。
【００３１】  先ず、図５Ａに示されるように、１本の紐２２を用意する。この紐２２としては、例えば、登山用ロープ等が好適である。なお、以下の説明において、この紐２２の長手方向中央側の部分とは、符号２２Ａで示される部分である。また、この紐２２の長手方向一端側の部分及び他端側の部分とは、それぞれ符号２２Ｂ，２２Ｃで示される部分である。
【００３２】  続いて、図５Ｂに示されるように、この紐２２の長手方向中央側の部分２２Ａをその中央部で折り返す。そして、この紐２２の長手方向中央側の部分２２Ａで基部１８を形成する。この紐２２における長手方向中央部は、基部１８の折返し部１８Ｂに相当する。
【００３３】  続いて、図５Ｃに示されるように、基部１８を折返し部１８Ｂ側から第一係合部材１４の固定部２４に形成された穴部２６に挿入する。
【００３４】  そして、図５Ｄに示されるように、基部１８と連続する紐２２の長手方向一端側の部分２２Ｂ及び他端側の部分２２Ｃを穴部２６に挿入する。
【００３５】  このとき、図５Ｅに示されるように、基部１８と連続する紐２２の長手方向一端側の部分２２Ｂ及び他端側の部分２２Ｃの全体を第一係合部材１４の穴部２６に挿入する。そして、この穴部２６から導出された紐２２の長手方向一端側の部分２２Ｂ及び他端側の部分２２Ｃに環状の固定具２８を通し、この紐２２の長手方向一端側の部分２２Ｂ及び他端側の部分２２Ｃを結ぶ。
【００３６】  そして、図５Ｆに示されるように、紐２２の長手方向一端側の部分２２Ｂ及び他端側の部分２２Ｃによって、基部１８の長手方向と直交方向を結び方向とする第一の本結び３０を形成する。また、このとき、この第一の本結び３０を構成する一対の輪部３０Ａ，３０Ｂを基部１８の両側に形成し、この一対の輪部３０Ａ，３０Ｂで基部１８を両側から挟み込むようにする。
【００３７】  続いて、図５Ｇに示されるように、この第一の本結び３０を形成した紐２２の長手方向一端側の部分２２Ｂ及び他端側の部分２２Ｃによって、基部１８の長手方向と直交方向を結び方向とする第二の本結び３２を形成する。この第二の本結び３２は、第一の本結び３０と逆向きとする。また、このとき、この第二の本結び３２を構成する一対の輪部３２Ａ，３２Ｂを基部１８の両側に形成し、この一対の輪部３２Ａ，３２Ｂで基部１８を両側から挟み込むようにする。
【００３８】  そして、図５Ｈに示されるように、紐２２の長手方向一端側の部分２２Ｂ及び他端側の部分２２Ｃによって、基部１８の基端部１８Ａ（図５Ｇ参照）側から折返し部１８Ｂ側へ順に第一の本結び３０と第二の本結び３２とを交互にそれぞれ複数形成する。これにより、この紐２２の長手方向一端側の部分２２Ｂ及び他端側の部分２２Ｃによって編込み部２０が形成される。なお、この編込み部２０の終端部２０Ｂは、後述する第二係合部材１６（図５１参照）との固定用に残しておく。
【００３９】  また、基部１８における折返し部１８Ｂ側の部分は、編込み部２０の終端部２０Ｂ側から導出されるように残しておく。つまり、この編込み部２０の終端部２０Ｂ側から導出された部分を、導出部３８として形成する。
【００４０】  続いて、図５１に示されるように、編込み部２０の終端部２０Ｂを第二係合部材１６の固定部３４に形成された穴部３６に挿入し、この固定部３４に巻き付ける。そして、この編込み部２０の終端部２０Ｂを例えばライター等の火で炙ることにより互いに接合する。これにより、第二係合部材１６は、編込み部２０の終端部２０Ｂと接続され、且つ、基部１８の折返し部１８Ｂに対し基部１８の長手方向に移動可能とされる。
【００４１】  また、上記工程中のいずれかの適切なタイミングで、第一連結部材４０及び第二連結部材４２を導出部３８に取り付けて、この導出部３８を構成する一対の紐部３８Ａ，３８Ｂを第一連結部材４０及び第二連結部材４２によって連結する。なお、このときに、第二連結部材４２を第一連結部材４０よりも折返し部１８Ｂ側に取り付ける。
【００４２】  続いて、導出部３８がストラップ本体１２の表側に配置されるように、この導出部３８をストラップ本体１２の長手方向中央部側（矢印Ａ側）に折り返す。そして、一対の紐部３８Ａ，３８Ｂ、折返し部１８Ｂ、及び、第二連結部材４２によって構成された環状部４４の内側にストラップ本体１２を挿通する。
【００４３】  以上の要領により、ストラップ１０は製造される。
【００４４】  次に、上述のストラップ１０の使い方と併せてその作用及び効果について説明する。
【００４５】  このストラップ１０によれば、図２Ａ，図３Ａに示されるように、第二係合部材１６は、編込み部２０の終端部２０Ｂと接続されており、基部１８の折返し部１８Ｂに対しては基部１８の長手方向に移動可能とされている。従って、第二係合部材１６を基部１８に対して基部１８の長手方向に相対移動させることにより、編込み部２０の長さ、ひいては、ストラップ本体１２の長さ（第一係合部材１４と第二係合部材１６との間の距離）を調節することができる。
【００４６】  つまり、図２Ａ，図３Ａに示されるように、第二係合部材１６を基部１８の基端部１８Ａ側に移動させれば、編込み部２０の長さ、ひいては、ストラップ本体１２の長さを短くすることができる。一方、図２Ｂ，図３Ｂに示されるように、第二係合部材１６を基部１８の折返し部１８Ｂ側に移動させれば、編込み部２０の長さ、ひいては、ストラップ本体１２の長さを長くすることができる。
【００４７】  しかも、このストラップ１０によれば、ストラップ本体１２は、図５Ｇに示されるように、各第一の本結び３０を構成する一対の輪部３０Ａ，３０Ｂで基部１８を両側から挟み込むと共に、同様に、各第二の本結び３２を構成する一対の輪部３２Ａ，３２Ｂで基部１８を両側から挟み込む構成とされている。
【００４８】  従って、上述の如くストラップ本体１２の長さを調節した後に、図１に示されるように、第一係合部材１４及び第二係合部材１６を係合させてストラップ１０を環状とさせた場合には、ストラップ１０を直線状とさせている場合に比して、図５Ｇに示される各第一の本結び３０を構成する一対の輪部３０Ａ，３０Ｂと基部１８との間の摩擦力、及び、各第二の本結び３２を構成する一対の輪部３２Ａ，３２Ｂと基部１８との間の摩擦力が増加される。これにより、図１に示されるストラップ本体１２の長さを調節後の長さに維持することができる。
【００４９】  また、基部１８における折返し部１８Ｂ側には、編込み部２０の終端部２０Ｂ側から導出された導出部３８が形成されており、この導出部３８は、ストラップ本体１２の表側に配置されるように、ストラップ本体１２の長手方向中央部側（矢印Ａ側）に折り返されている。そして、この導出部３８には、この導出部３８を構成する一対の紐部３８Ａ，３８Ｂを連結する第一連結部材４０及び第二連結部材４２が取り付けられており、また、一対の紐部３８Ａ，３８Ｂ、折返し部１８Ｂ、及び、第二連結部材４２によって構成された環状部４４の内側には、ストラップ本体１２が挿通されている。
【００５０】  従って、図４Ａに示されるように、この環状部４４を第二係合部材１６側にスライドさせれば、導出部３８がストラップ本体１２に対して表側に離間した状態（膨らんだ状態）となる。従って、この状態でストラップ１０を例えば犬の首に装着すれば、この導出部３８を、犬を操作するためのハンドルとして使用することができる。
【００５１】  また、このときに、第二連結部材４２を導出部３８における折返し部１８Ｂ側に位置させれば、環状部４４が小さくなり、この環状部４４がストラップ本体１２に固定される。従って、導出部３８によって構成されたハンドルの形状を維持することができる。
【００５２】  なお、このときに、第一連結部材４０を導出部３８における編込み部２０の終端部２０Ｂ側に位置させれば、上述の導出部３８によって構成されたハンドルにおける使用者が握る領域から第一連結部材４０が外れた位置に位置されるので、使用者が導出部３８をハンドルとして使用するときの操作性を良好にすることができる。
【００５３】  一方、図４Ｂに示されるように、環状部４４を第二係合部材１６と反対側にスライドさせれば、導出部３８がストラップ本体１２に密着された状態となる。従って、この場合には、導出部３８がストラップ本体１２から表側に突出することが抑制されるので、例えば、ストラップ１０が犬の首に装着されているときに、導出部３８に物が引っ掛かったり、犬が気にしたりすることを抑制することができる。
【００５４】  また、このときに、第二連結部材４２を導出部３８における折返し部１８Ｂ側に位置させれば、環状部４４が小さくなり、この環状部４４がストラップ本体１２に固定される。従って、導出部３８をストラップ本体１２に密着させた状態に維持することができる。
【００５５】  さらに、このときに、第一連結部材４０を導出部３８における長手方向中央部に位置させれば、一対の紐部３８Ａ，３８Ｂが互いに離間することも抑制することができる。
【００５６】  しかも、導出部３８は、第二係合部材１６が接続されている編込み部２０の終端部２０Ｂ側から導出された後に、ストラップ本体１２の長手方向中央部側、すなわち、第二係合部材１６と反対側（矢印Ａ側）に折り返されている。従って、第一係合部材１４及び第二係合部材１６を係合させる際に、この導出部３８が邪魔になることを抑制することができる。
【００５７】  このように、このストラップ１０によれば、ストラップ本体１２の長さを調節することができるだけでなく、使い勝手も向上させることができる。
【符号の説明】
【００５８】  １０  ストラップ
１２  ストラップ本体
１４  第一係合部材
１６  第二係合部材
１８  基部
１８Ａ  基部の基端部
１８Ｂ  基部の折返し部
２０  編込み部
２０Ａ  編込み部の始端部
２０Ｂ  編込み部の終端部
２２  紐
３０  第一の本結び
３０Ａ，３０Ｂ  第一の本結びの輪部
３２  第二の本結び
３２Ａ，３２Ｂ  第二の本結びの輪部
３８  導出部
３８Ａ，３８Ｂ  一対の紐部
４０  第一連結部材
４２  第二連結部材
４４  環状部
【図１】
2011244798.tif 000003
【図２Ａ】
2011244798.tif 000004
【図２Ｂ】
2011244798.tif 000005
【図３Ａ】
2011244798.tif 000006
【図３Ｂ】
2011244798.tif 000007
【図４Ａ】
2011244798.tif 000008
【図４Ｂ】
2011244798.tif 000009
【図５Ａ】
2011244798.tif 000010
【図５Ｂ】
2011244798.tif 000011
【図５Ｃ】
2011244798.tif 000012
【図５Ｄ】
2011244798.tif 000013
【図５Ｅ】
2011244798.tif 000014
【図５Ｆ】
2011244798.tif 000015
【図５Ｇ】
2011244798.tif 000016
【図５Ｈ】
2011244798.tif 000017
【図５Ｉ】
2011244798.tif 000018